(57)【特許請求の範囲】
【請求項１】
絶縁ハウジング（１２）及び各々ワイヤコンタクトスロット（５４，７４，８４）が形成されたスロット付き平板状ビーム（５２，７２，８２）を有する複数の端子（５０，７０，８０）を具備し、前記ハウジングはツイストワイヤペア（２，４）の個別ワイヤ（６，８）を受容するワイヤチャンネル（３４）を含み、該各ワイヤチャンネル（３４）は対応するワイヤコンタクトスロット（５４，７４，８４）と交差する電気コネクタにおいて、
前記スロット付き平板状ビーム（５２，７２，８２）は前記ワイヤチャンネル（３４）に対して傾斜し、隣接するワイヤチャンネルは比較的接近し、これにより隣接するワイヤチャンネルの個別ワイヤ間の誘電性及び容量性電気的カップリングを増加してコネクタの電気的性能を改善し、
前記ワイヤチャンネル（３４）は前記第１及び第２ツイストペア（２，４）に関連して前記第１及び第２ワイヤチャンネル（３４）に配置し、前記第１ワイヤチャンネルペアの中心線間の間隔（ａ）が前記第１ワイヤチャンネルペアの１つのワイヤチャンネルと前記第２ワイヤチャンネルペアの隣接ワイヤチャンネル間の間隔（ｂ）より小さいことを特徴とする電気コネクタ。
【請求項２】
前記ハウジングは前記第１ワイヤチャンネルペアと前記第２ワイヤチャンネルペア間にキャビティ（４２）を有し、該ハウジングキャビティの空気が前記第１及び第２ワイヤチャンネルペア間の材料の実効誘電率を低減させ、前記第１及び第２ワイヤ対間のキャパシタンスとクロストークを低減することを特徴とする請求項１の電気コネクタ。
【請求項３】
同じワイヤペアの個別ワイヤを成端する端子の前記ワイヤコンタクトスロットが、前記ハウジングの前後面から等距離の面に対してスタガしていることを特徴とする請求項１の電気コネクタ。
【請求項４】
各端子は、前記ハウジングから延びるピン（５６，７６，８６）を含み、該ピンは対応する端子の中心線に対してオフセットされていることを特徴とする請求項１の電気コネクタ。
【請求項５】
前記ピンは等間隔であることを特徴とする請求項４の電気コネクタ。
【発明の詳細な説明】
【技術分野】
本発明は、ツイストペア電線（ワイヤ）と電気的接続を確立するスロット、ビーム又は圧接（IDC）端子を採用する電気コネクタに関する。特に、本発明は、ツイストペアの個別ワイヤ間の誘導性又は容量性カップリング（結合）の改良及び１００MHz信号の如きより高周波伝送の為に隣接ツイストペア間のクロストーク（漏話）の低減に関する。
【背景技術】
ツイストペア通信ケーブルの成端（接続）に使用される従来の１１０スタイル電気コネクタを図１に示す。これらコネクタ１１０は、スロットビーム又はIDC端子１５０を使用する。図１に示すコネクタは、４ポジション（端子）のコネクタであり、コンプライアント（弾性接触）ピン部１５６を使用してプリント回路基板に２対ケーブルのチップ（端部）及びリングワイヤを成端するために使用される。４個の端子１５０は、同一面に配置された４端子の平面状（プレーナ）スロットビーム部１５２と横並びで配置される。端子１５０は、絶縁ハウジング１１２内のキャビティ１３６内に受容され、ハウジング１１２の上に位置するテーパ付き壁１２４、中央壁１２０及び側壁１２２を貫通する。これら壁１２０，１２２、１２４は、チャンネルを形成し、内部にワイヤが挿入される。軸平行に、これらチャンネル内に挿入されたワイヤは、端子１５０のスロットビーム１５２内のワイヤコンタクト（圧接）スロット１７４内に挿入される。ワイヤコンタクトスロットを形成するスロットビームのエッジ（端縁）は、ワイヤ絶縁体を貫通し、ワイヤに気密電気接続を確立する。端子１５０は、端子の側方から打ち出されたタブ１６２及びタブ１６２が形成されるとき、オープン状態のままの端子に挿入されるプラスチックによりハウジング１１２内に保持される。分離されたツイストペアケーブルをスプライス（つき合わせ接続）する為に使用される同様構成の電気コネクタは、米国特許第５，４０９，４０４号に開示されている。
ツイストペアケーブルと共に、スロットビーム又はIDCコンタクトを使用する他のコネクタが米国特許第４，１７１，８５７号に開示されている。この特許において、端子はハウジングクランプ素子内でワイヤスロットに対して約４５度の角度でオフセットして固定配置されている。この従来のコネクタは、２本のワイヤを同じ端子の反対側の２叉部に接続するために使用される。端子素子の端縁は、鋭角でオフセットし、ワイヤスロットのエッジがワイヤの絶縁体を貫通してワイヤ導体と接続されるようにする。
これら従来コネクタは、いずれも一般に電話で使用されるタイプの従来のツイストペアケーブル用に主として設計されている。最新のツイストペアケーブルは、ネットワークデータ通信等の一層高周波用に益々使用されるようになっている。撚り線のツイストペアケーブル及びツイストペアコネクタの伝送特性は、斯る高周波には不十分であるので、撚り線のツイストペアケーブルは斯る用途の多くには不適切である。従って、高周波用に好適であるツイストペアケーブルの新しい標準規格が出現している。カテゴリ５（Category5）ツイストペアケーブルは、斯るケーブルの１つである。これらケーブルは、一層タイトにツイストされ、各ツイストペアを形成するワイヤ間の誘導性及び容量性カップリングを増加させている。クロストーク、特に近端クロストーク（ＮＥＸＴ）に関する一層厳しい制約が、これら高性能ツイストペアケーブルに課せられている。多くの場合、電話産業用に開発された標準電気コネクタは、高周波用途ではツイストペアケーブルの動作性能劣化がある。しかし、斯る標準電気コネクタは広く使用され、業界では設置工具と共に広く知られている。そこで、業界標準の工具やフットプリント（寸法形状）との互換性を維持すると共に電気コネクタの性能を改善する必要がある。
【発明の開示】
本発明は、絶縁ハウジングと複数の端子とから成る電気コネクタであって、各端子は、ワイヤコンタクトスロットを有する平板状部を有し、ハウジングは、ツイストペアワイヤのワイヤを受容するチャンネルを含み、各ワイヤチャンネルは対応するワイヤコンタクトスロットと交差し、以下の特徴を有する。
即ち、この平板状部は、対応するワイヤチャンネルに対して傾斜し、隣接するワイヤチャンネルは相互に比較的密接し、隣接ワイヤチャンネル内のワイヤ間の誘導性及び容量性電気的結合（カップリング）を増加し、コネクタの電気的性能を改善する。
【発明を実施するための形態】
以下、本発明の例を添付図を参照して説明する。
本発明の一実施形態例を、図２に示す。電気コネクタ１０は、１１０のスタイルの電気コネクタであり、第１ツイストワイヤペア２及び第２ツイストワイヤペア４をプリント回路基板（図示せず）に接続する為に使用される、各ツイストペア２，４は、２本のワイヤ６，８を含み、典型的には平衡ペア伝送線で使用される。電気コネクタ１０は、電話で一般に使用されるタイプの従来のツイストペアケーブルと共に使用される。また、このコネクタ１０は、従来の１１０スタイルのコネクタに対し、同じツイストペアのワイヤ間のカップリングを改善し且つ従来の１１０スタイルのコネクタに対する隣接ツイストペア間のクロストークを低減するので、高速用途にも使用可能である。特に、このコネクタ１１０は、カテゴリー５ツイストペアケーブルの如く高性能ツイストペアケーブルと共に使用することを意図し、従来のツイストペアケーブルよりもタイトなツイストを使用している。
コネクタ１０は４ポジションコネクタであり、図５乃至図７に示す４個のスロットビーム又はＩＤＣ端子５０或は図８に示す別の端子７０が、モールドされた絶縁ハウジング１２に挿入される。ハウジング１２は、一体構成であり、ベース部１４を有し、壁がベース上面１６から起立している。４ポジションの実施例では、１個の中央壁２０と２個の側壁２２が２個のテーパ分割壁２４により分離されている。図２に示す如く、テーパ分割壁２４は、ツイストワイヤペアの１つを形成する各ワイヤ６，８がその上で分離されるようにスリッタ又はデバイダとして作用するよう構成されている。ワイヤ６，８は、テーパ分割壁２４の一方の両側に形成されたワイヤチャンネル３４に入り込む。このチャンネル３４は、隣接壁２０又は隣接側壁２２によっても形成される。
各テーパ分割壁２４は、図１に示す従来の１１０スタイルコネクタの分割壁１２４とは異なる。各テーパ分割壁２４は、２個の相互にスタガした部分２６，２８を含み、図２中ハウジング１２の前及び後方に向けて夫々オフセットされている。各スタガ部２６，２８は、夫々傾斜した上面３０，３２を有する。前方の傾斜面３０は、テーパ分割壁の頂部の直線に沿って後方の傾斜面３２と接触する。各テーパ分割壁２４は２つの部分２６，２８を有するとして説明したが、各テーパ分割壁はハウジング１２の一体モールド部であり且つスタガ部２６，２８は同じ一体物の部分であることに注意されたい。これらスタガ部は、図１に示した如き従来の１１０スタイル接続ブロックの成端に一般的に使用されている市販の標準単一ポジション挿入工具の使用を可能にする。
ワイヤチャンネル３４は、テーパ分割壁２４の頂点からハウジングベース１４の上面１６に延びる。４個のワイヤチャンネル３４は、相互に平行でありチャンネル３４が延びるハウジング１２の前及び後面と直交する。端子キャビティ３６は、ハウジングベース１４の下面１８からハウジングベース１４の上面１６を通って延び且つテーパ分割壁２４、中央壁２０及び側壁２２内に起立し、ここで対応するワイヤチャンネル３４から対応する壁内に延びる対向する溝として表わされる。図３及び図４に示す如く、端子キャビティ３６は、ワイヤチャンネル３４に対して傾斜している。好ましくは、この傾斜角は、１５度乃至３０度である。図示の例では２０度の傾斜で示す。
中央キャビティ４２は、図４に示すハウジングベース１４の下面から起立する。この中央キャビティ４２は、ハウジング１２のモールド中にコアピンが入り、中央壁２０内に起立する。好適実施形態例では、中央キャビティ４２は、中央壁２０の上面の下で終端し、これにより、図２及び図３に示す如く連続した上面を有する。
コネクタ１０に使用可能な１つの端子５０は、図５乃至図７に示す。この端子５０は、弾性金属の平坦なストリップから打抜き折曲げ加工により形成される。端子５０は、平坦又は平面状のスロットビーム又はＩＤＣコンタクト部５２を有する。ワイヤコンタクトスロット５４が２つの対向するコンタクトビーム間に形成されている。ワイヤはその軸に横向きにコンタクトスロット５４内に挿入され、ワイヤコンタクトスロット５４の内向きエッジに接触し且つ気密機械及び電気接続がワイヤと端子５０間に確立される。
また、端子５０は、コンプライアントピン５６を含み、これはプリント基板のめっきされスルーホール内に挿入できる。そこで、このコンプライアントピン５６とめっきされたスルーホール間にはプレスフィット機械且つ電気的接続が確立される。ピン５６をスルーホールに挿入するとコンプライアントピン５６を形成する対向する２つのアームが、ピンとめっきされたスルーホール間に接圧を確立する。ここに示すコンプライアントピン部を有する１対のコンタクトと同様に、ピンをめっきされたスルーホールに挿入するには相当大きな（但し大き過ぎない）力が必要である。図５の例では、コンプライアントピン５６は、中央ワイヤコンタクトスロット５４を通る端子の中心線に対してオフセットされている。このオフセットは、図７及び図４に一層明瞭に示される。
スロット付ビーム５２及びコンプライアントピン５６は、中央端子部５８の両側から延びる。端子５０は、好ましくは、一連の金型（プログレッシブダイ）内で打抜き折曲げ加工され且つ中央部５８は、隣接する端子を相互にストリップ形状に連結するキャリアストリップの一部を形成する。隣接端子がキャリアストリップから剪断され個別端子５０を形成すると、そのキャリアストリップ部分は、中央部５８を形成し、且つ上向き肩６０が中央部５８の対向するエッジに形成される。図５に示す如く、半円形凹部６２が中央部５８の対向エッジ且つ肩６０の下方に形成される。これら半円形凹部６２は、キャリアストリップのパイロットホールが各端子５０が分離された後に残ったものである。
端子５０のスロット付ビーム部５２の外縁に沿って、ばねフィンガ（指状部）６４が形成される。これらばねフィンガ６４は、片持ち梁状であり、上端においてスロット付ビーム部５２に連結される。片持ち梁状ビームばねフィンガ６４の自由端は、図５中下向きである。ばねフィンガ６４は、休止状態でスロット付ビーム部５２の面外に延びるが、端子がハウジング１２の端子キャビティ３６に挿入されると、ばねフィンガ６４は端子の残りの面内に撓まされる。
コンタクト端子５０は、下方からハウジング１２の端子キャビティ３６内に挿入される。端子５０がハウジング１２に保持される様子を図６及び図７に示す。各端子キャビティ３６は、略矩形の端子キャビティ３６の長辺に沿って配置される上向き肩３８を含んでいる。端子キャビティ３６の幅は、この上向き肩３８の下方で、肩３８からハウジングベース１４の上面１６に延びるキャビティ部の幅よりも小さい。端子キャビティの肩３８の下方の部分の幅は、端子５０の厚さと略等しい。端子５０が上方へ肩３８の下方の端子キャビティ３６の部分を通って挿入されるとき、ばねフィンガ６４は、スロット付ビーム５２の面内に撓まされる。ばねフィンガ６４が肩３８を越すと、ばねフィンガは、図６に示す通常位置にスナップバックする。次に、ばねフィンガ６４の端は、上向き肩３８と当接して、端子５０の下方への移動又は抜去を阻止し、端子５０が端子キャビティ３６から抜去できないようにする。
また、各端子キャビティ３６は、２個の下向き肩４０を矩形端子キャビティの反対端に含んでいる。中央端子部５８の端子肩６０は、端子５０の最も幅広部であるので、これら端子肩は下向きハウジングキャビティ肩４０に当接し、端子５０が端子キャビティ３６内に更に挿入されるのを阻止する。これにより、端子５０は、図６及び図７に示す位置に挿入されると、どの方向へも移動できず、端子５０はハウジング１２の所定位置に保持されることとなる。プラスチック製ハウジングベース１４の一部を半円形凹部６２内に、米国特許第５，４０９，４０４号に開示するのと略同様に変形させることにより、更に確実な係合が達成できる。
電気コネクタ１０に使用可能な別の端子７０が、図８に示されている。この端子７０もスロット付ビーム部７２とワイヤコンタクトスロット７４とを有する。コンプライアントピン７６が端子７０の底部から延び且つワイヤコンタクトスロット７４が延びる端子の中心線に対してオフセットされている。端子７０の中央部は、図５乃至図７の実施形態例と異なる。中心穴７８が端子７０の中心線に沿って位置する。また、この中心穴７８は、端子７０が、キャリアストリップから剪断される時点の前にはパイロットホールとして作用する。上向き肩７９が端子７０の一縁に沿って形成され、端子５０と共に使用される図７に示すハウジング形状の肩４０と同様に下向きキャビティ肩と当接する。ハウジング１２から端子７０の抜去は、米国特許第５，４０９，４０４号に示すのと略同様に穴７８内にハウジングベース１４の一部をアップセットすることにより防止できる。しかし、穴７８は、図１に示す従来のコネクタのタブ１６２に形成された開口よりも十分大きくできる。これにより、一層良好な端子保持が可能である。ハウジング１２内に端子７０を保持する別の技法として、端子ハウジングベース１４の側方及び穴７８を介してピンを挿入することである。
端子の更に別の側を図９及び図１０に示す。この端子８０もまたスロット付ビーム８２を有するＩＤＣ端子であり、ワイヤコンタクトスロット８４を形成し、端子８０のスロット付ビーム部の中心線に沿って延びる。オフセットコンプライアントビーム８６が、端子８０の底部に沿って延びる。中心穴８８が、ワイヤコンタクトスロット８４の下に形成され、且つタブ９０がスロット付ビーム８２の面から打ち出される。このタブ９０は、端子の保持面となる。材料をアップセット又はハウジングの面から端子穴８８内に押し出して、端子８０を対応するハウジング内に保持させる事ができる。また、端子８０は、プリント基板と接触してコネクタ及び端子をプリント基板上に正確に位置決めするストッパとして作用する肩９２を含んでいる。端子８０は、図２乃至図４に示すハウジングと実質的に同じタイプのハウジングに使用可能である。しかし、端子８０を受容する端子キャビティの詳細は、図６及び図７に示すものと異なる。端子８０が占有するコネクタ１０内での相対位置は、図１０に示す。単一ワイヤ対を成端する為の単一端子対を形成する隣接する端子８０の端子中心線間の間隔は、距離「ａ」で示す。別の第１及び第２端子対の一部である第２及び第３内側端子８０間の間隔は、距離「ｂ」で示す。好適実施形態例では、距離「ｂ」は、距離「ａ」より大きく、これにより隣接する端子対間のクロストークを低減する。コンプライアントピン５６のオフセットの為に、全ての隣接コンプライアントピン間の間隔は、一定であり、距離「ｃ」で示す。しかし、同じ端子対の隣接端子８０は、距離「ｄ」でオフセット又はスタガされている。
端子キャビティ３６は、ワイヤチャンネル３４に対して傾斜しているので、端子５０は、ワイヤチャンネル３４に対して角度を有する。図３及び図４に示す如く、端子５０もまたスタガ配置され、端子５０の対はオーバーラップしている。端子５０を角度付け且つ同じツイストワイヤペアの個別ワイヤの成端に使用される２つの端子５０をオーバーラップすることにより、ワイヤコンタクトスロット５４を貫通する端子の中心線は、より密接させることができる。図１に示す従来のコネクタでは、２つのツイストペアの４本のワイヤに使用される４個の端子は全て均等に中心間で０．１５０インチ（約３．８ｍｍ）離間していた。スロット付ビーム端子がワイヤとの適当な電気接続の為に必要とする力と強度は、従来の端子幅が最低であるので、これ以上の密接間隔は不可能であった。更に、モールド及び電気的絶縁の要求は、図１に示すのと同じ面での端子配列の密接間隔を制限した。端子を好適実施形態例に示した如く傾斜配置することにより、ワイヤチャンネル３４、ワイヤコンタクトスロット５４及び個別ワイヤ対２，４の２本のワイヤの中心線間隔は縮小できる。本発明の好適実施形態例によると、同じテーパ分割壁の反対側の２対の端子の中心線間隔は、図１の形状の従来技術の端子１５０と略同じ幅の端子で０．１００インチ（約２．５ｍｍ）未満に縮小できるか、オーバーラップを増加し、且つより大きい接圧を得る為に端子幅を増加することができる。中心線間隔を近づけることにより、従来の横並びコプラナ配置で得られたものと比較して、同じツイストペアの個別ワイヤの結合（カップリング）を改善する。より高周波用途では、このペア化した端子配列は従来用途よりも相対結合の改善が得られる。カテゴリ５ツイストペアケーブルの如きツイストペアケーブルは、従来のツイストペアケーブルよりもツイストがタイトであるので、この密接間隔は、よりタイトなツイストが端子まで維持でき、端子部での不連続性を減少することを意味する。
同じワイヤ対のワイヤと使用される端子５０をペアリング（対に）することにより、余分なスペースができ、異なるワイヤ対の端子及びワイヤ対自身はコネクタ内の同じ断面領域で更に離間できる。図３に示す如く、２個の内部端子５０が、コネクタ１０の右又は左のペア端子５０よりも更に離間する。好適実施形態例では、図３の左から２番目及び３番目の端子５０間の間隔は、約０．２００インチ（約５ｍｍ）であり、ペア端子１及び２又はペア端子３及び４間の中心線間の間隔は約０．１００インチ（約２．５ｍｍ）である。このように、ペア端子間及びワイヤ自身間の中心線間の間隔が大きいと、隣接するツイストワイヤペア間のキャパシタンスを低減することにより、コネクタ位置における隣接ペア間のクロストークを低減する。伝送速度が早く且つ高周波数となると、この容量性クロストークの低減は、更に重要になる。同じワイヤペアに関する端子の０．１００インチ（約２．５ｍｍ）中心線の傾斜端子をペアリングし且つ隣接端子対を０．２００インチ（約５ｍｍ）離間させることにより、１００ＭＨｚで約６ｄＢの近端クロストーク（ＮＥＸＴ）低減が達成できた。異なるワイヤ対の端子を分離する材料に低誘電率の材料を使用すると、更なるキャパシタンスの低減が可能である。中央ハウジングキャビティ４２の芯とりすることにより、異なるワイヤ対の第２及び第３端子間のプラスチックは空気とする。空気は電気コネクタハウジングをモールドするのに使用されるプラスチックよりも低実効誘電率である。端子の角度付け（傾斜）及び図示の如くペアリングすることにより、中央キャビティ４２用の余裕が得られる。
図３に示す如く、隣接する端子５０の中心線は、電気コネクタ１０内で一定でない。しかし、端子のコンプライアントピン５６のオフセットにより、コンプライアントピンの中心線間隔は一定にできる。好適実施形態例では、隣接するコンプライアントピン間の中心線間隔は、０．１５０インチ（約３．８ｍｍ）であり、他方ワイヤコンタクトスロット間の間隔は、第１及び第２端子と、第３及び第４端子間で０．１００インチ（約２．５ｍｍ）であり、第２及び第３端子間で０．２００インチ（約５ｍｍ）である。端子キャビティ３６の端子５０を単に回転することにより、同じ端子５０を４端子位置の全てに使用することができる。従来のフットプリント（取付寸法）で使用される０．１５０インチ（約３．８ｍｍ）の間隔を維持する必要がない用途では、コンプライアントピンは端子中心線位置としてもよい。
ペア端子５０の角度付け及びオーバーラッピングにより、ワイヤコンタクトスロットとハウジング１２の側面及びテーパ分割壁２４の側面間の間隔は一定ではない。２つのペア端子の一方ののスロットは、他方のスロットの前方にある。換言すると、一方のスロットは、他方のスロットよりもハウジングの前面に近い。このように、ワイヤコンタクトスロットをスタガ配置することにより、図２及び図３に示す如く、２個のテーパ分割壁部２６，２８がオフセット又はスタガ形状となる。図２に示す標準端ポジション工具（ツール）２０２を使用することにより、２個のテーパ壁部２６，２８は、オフセットしなければならないことを意味する。その理由は、この単ポジションツールは、各テーパ壁部の１／２位置で係合して位置される為である。単ポジションツールを用いてワイヤが挿入されると、１つのワイヤについてはコネクタの前面に比較的近く配置され、次のワイヤについては比較的コネクタの後面近くに位置される。図１１及び図１２は、２個のスタガされた単ポジションツールヘッド２０２より成る新しいデュアルポジションツール２０４を示す。テーパ分割壁２４のスタガ配置と、これに対応する図２及び図３に示す中央壁２０のスタガにより、ツール２０４を位置合わせ（アライメント）し、各ブレード２０６及びワイヤ挿入スロット２０８が対応する端子のワイヤコンタクトスロット５４とアライメントし且つワイヤカットオフ２０９はワイヤの端部切断（トリミング）を行う。このスタガ状デュアルチップにより、ペアの両ワイヤを単一ストロークで成端し、ワイヤをコネクタに成端する作業者の作業時間を短縮することができる。
ワイヤチャンネル３４に対して端子５０の傾斜又は角度付き構成により、端子ペアリングを可能にするが、これら端子の相対方向（オリエンテーション）により、ワイヤ対間のカップリングの改善及びクロストークの低減に関与しない機械的な利点が得られる。上述した如く、コンプライアントピン５６の如きコンプライアントピンをプリント基板のめっきしたスルーホールに挿入するには、めっきしたスルーホールを使用しない片面プリント基板のトレース（導電路）やめっきしたスルーホールに半田付けされる固体（ソリッド）ピンの挿入に必要な力より大きな力が必要である。多くのコンプライアントピンが同時に挿入されるので、コンプライアントピンの挿入に要する力は使用するピン数倍になる。図１に示す如き、従来の電気コネクタでは、１４４で示す位置でプラスチックとタブ１６２によりオープン状態の端子との係合による保持力は、コンプライアントピン１５６の挿入に必要な力に耐えられないので、挿入力は端子１５０に直接加えなければならない。従って、挿入ツールは端子１５６の頂部と係合しなければならない。コネクタ１０の端子５０の角度付けは、端子はより広く且つ端子５０の肩６０又は端子７０の肩７９に十分なスペースが得られることを意味する。そこで、これら端子肩は比較的大きいハウジング肩４０と係合し、コンプライアントピン挿入力はハウジングに加えられ、端子に伝えられる。端子７０の場合、穴７８内にアップセット可能なハウジング材料の量は、従来構成でタブ１６２にて形成された開口内にアップセットされる量より大きい。個別ピンが開口７８に挿入される構成では、より大きな力を加えることができる。
また、端子５０の角度付き構成により、ハウジング壁の厚さを増加するスペースを付加することができる。この付加スペースは、図１に示す従来コネクタよりも本発明の側壁２２が厚くできるので、特に有効である。側壁２２を厚くすると、コネクタ使用時に過度の力が加えられてこれら壁が破損する虞れが減ることになる。端子をスタガ配置し、且つ好適実施形態例では０．１００インチ及び０．２００インチの如く異なる中心線に配置することにより、ハウジング壁の厚さを増加する付加スペースが得られる。
本発明の好適実施形態例は、ツイストワイヤペアをプリント回路基板に接続するために使用される電気コネクタ１０である。この傾斜且つペアリングした端子は別の構成のコネクタにも使用可能であることが理解できよう。例えば、傾斜した端子対は、２個のツイストペアケーブル同士をスプライスに使用されるコネクタに使用可能である。斯るコネクタは典型的には２本のペアケーブルに限定されない。また、本発明はコンプライアントピンを使用するコネクタに限定されない。プリント基板に半田付け可能なソリッドピンであってもよい。従って、本発明の好適実施形態例は従来の１１０スタイル電気コネクタの改良を意図してはいるが、本発明の最も広い概念では、ここで説明した好適実施形態例に限定するものではない。例えば、傾斜端子構成及びスタガ配置は、ＩＤＣコンタクトを含むコネクタ、モジュラージャックその他のコネクタで使用される打抜き折曲げ加工によるコンタクトアレイを使用するコネクタの電気的特性の同様の改善に適用可能である。従って、本発明は、次の請求の範囲により限定されるべきであり、ここに説明した実施形態例に限定されるべきではない。
【図面の簡単な説明】
【図１】ツイストワイヤペアと共に使用される従来の電気コネクタの傾斜図を示し、電気コネクタの絶縁ハウジングから露出する複数の端子を示す。
【図２】ペア状端子を採用する電気コネクタの好適実施形態例であり、ワイヤケーブル部の第１及び第２ツイストペアの各ワイヤの挿入を示す。
【図３】図２に示す電気コネクタの上面図である。
【図４】図２及び図３に示す電気コネクタの底面図である。
【図５】図２及び図３に示すタイプの電気コネクタに使用可能である端子の一実施形態例の斜視図である。
【図６】図５に示す端子が固定され、この端子がコネクタハウジングの底面を通って押出されるのを防止する状況を示す部分断面図である。
【図７】図５に示す端子が固定され、コネクタハウジングの上部から押出されるのを阻止する様子を示す部分断面図である。
【図８】図２乃至図４に示すタイプの電気コネクタに使用できる端子の他の実施形態例を示す斜視図である。
【図９】端子の更に他の実施形態例の斜視図である。
【図１０】図９に示すタイプの４個の端子を示し、これら端子間の相対角度や間隔を示す斜視図である。
【図１１】図２乃至図４に示すタイプの電気コネクタと共に使用可能な２個のスタガ挿入ヘッドを有する挿入ツールの斜視図である。
【図１２】図１１に示すスタガ挿入ツールの断面図である。
【図１】
0003795532.tif 000002
【図２】
0003795532.tif 000003
【図３】
0003795532.tif 000004
【図４】
0003795532.tif 000005
【図５】
0003795532.tif 000006
【図６】
0003795532.tif 000007
【図７】
0003795532.tif 000008
【図８】
0003795532.tif 000009
【図９】
0003795532.tif 000010
【図１０】
0003795532.tif 000011
【図１１】
0003795532.tif 000012
【図１２】
0003795532.tif 000013